(57)【特許請求の範囲】
【請求項１】
コイル装置のコアをケースと接触させないように該ケースに固定するコア固定具であって、
前記ケースにボルトで固定されるケース固定部と、
前記コアにボルトで固定されるコア固定部と、
前記コア固定部と前記ケース固定部を連結するアーム部と
を備え、
前記アーム部は、前記コア固定部及び前記ケース固定部よりも幅が狭く形成されていて、前記コア固定部と前記ケース固定部との相対位置が変化するように弾性変形可能である、コア固定具。
【請求項２】
前記コア固定部及び前記ケース固定部には、前記アーム部の付け根付近に、輪郭が曲線により形成された凹部が形成されている
ことを特徴とする請求項１に記載のコア固定具。
【請求項３】
前記コア固定部及び前記ケース固定部は、それぞれＸＹ平面と平行な平面上に配置され、
前記コア固定部にはボルトが通る第１の貫通穴が形成され、
前記ケース固定部にはボルトが通る第２の貫通穴が形成され、
前記コア固定部が配置された平面上への投影図において、前記第１の貫通穴と前記第２の貫通穴が重ならない
ことを特徴とする請求項１又は請求項２に記載のコア固定具。
【請求項４】
前記コア固定具は、１枚の金属板から板金加工により形成され、
ＸＹ平面と平行な第１の平面上に配置された１つの前記ケース固定部と、
ＸＹ平面と平行な第２の平面上に配置された２つの前記コア固定部である左側コア固定部及び右側コア固定部と、
２つの前記アーム部である左側アーム部及び右側アーム部
を備え、
Ｘ軸方向の正の向きを正面側、Ｘ軸方向の負の向きを背面側、Ｙ軸方向の正の向きを左側、Ｙ軸方向の負の向きを右側としたときに、
前記左側アーム部は、前記ケース固定部の背面側の辺縁の左端と前記左側コア固定部の背面側の辺縁の右端とを連結し、
前記右側アーム部は、前記ケース固定部の背面側の辺縁の右端と前記右側コア固定部の背面側の辺縁の左端とを連結する
ことを特徴とする請求項１から請求項３のいずれか一項に記載のコア固定具。
【請求項５】
前記コイル装置はリアクトルである
ことを特徴とする請求項１から請求項４のいずれか一項に記載のコア固定具。
【請求項６】
コアを内部に配したコイルがケース内に収容されたコイル装置であって、
請求項１から請求項４のいずれか一項に記載のコア固定具により前記コアの両端が前記ケースに固定されることを特徴とするコイル装置。
【請求項７】
前記コアは、前記複数のコア断片が一方向にスタックされて一体に固定された分割コアであり、前記コア固定具は前記コアのスタック方向両端に取り付けられる
ことを特徴とする請求項６に記載のコイル装置。
【請求項８】
前記コアは、前記コアのスタック方向両端に配置された、前記コア固定部がボルトで固定される１対のナットを備え、
前記１対のナットの間には前記コアが連続して形成されている
ことを特徴とする請求項７に記載のコイル装置。
【請求項９】
前記コアはダストコアであることを特徴とする請求項８に記載のコイル装置。
【請求項１０】
前記コア固定具が前記コア固定部のみで前記コアと接触するように構成されている
ことを特徴とする請求項６から請求項９のいずれか一項に記載のコイル装置。
【請求項１１】
端子台を更に備え、
前記端子台のバスバーと前記コイルのリード部とを溶接する箇所において、前記バスバー及び前記リード部は前記コアの両端を結ぶ方向に延びる
ことを特徴とする請求項６から請求項１０のいずれか一項に記載のコイル装置。
【請求項１２】
リアクトルであることを特徴とする請求項６から請求項１１のいずれか一項に記載のコイル装置。
【発明の詳細な説明】
【技術分野】
【０００１】
本発明は、コイル内にコアを配したリアクトル等のコイル装置、及びコアをケースに固定するためのコア固定具に関する。
【背景技術】
【０００２】
（用語の定義）
以下の説明において、磁場中で比較的に強く磁化される材質（例えば、強磁性体、フェリ磁性体、反強磁性体）を磁性体といい、強く磁化されない材質（例えば、常磁性体、反磁性体）を非磁性体という。
【０００３】
（背景技術）
リアクトルは、交流成分に対して誘導性リアクタンスを与える受動素子であり、インバータ回路、アクティブフィルタ回路、直流昇圧回路等に使用されている。近年実用化が進むハイブリッド自動車や電気自動車においても、駆動システムのキーデバイスである直流昇降圧コンバータ等にリアクトルが使用されている。一般に電気自動車用などの比較的に容量の大きなリアクトルは、環状に形成された磁性体である磁心（コア）と、コアに巻かれた巻線（コイル）が、放熱ケース内に収容された構造を有している。また、磁気飽和を防ぐために、コアを磁束と垂直な面で複数の断片に分割して、分割面の間に非磁性体のギャップ部材を挿入して接着固定した構造（分割コア）が一般に採用されている。
【０００４】
コアは、鉄損等のエネルギーロスにより発熱するため、放熱ケースへのコアの取り付けにおいては、コアから放熱ケースへの十分な熱伝導の確保が重要となる。また、直流昇降圧コンバータ等に使用されるリアクトルでは、エネルギーの蓄積と放出が高いレートで繰り返されるため、コアの磁気歪や電磁吸引力により振動や騒音が発生する。分割コアを使用する場合、この振動は特に分割コアのギャップ面と垂直な方向で強く発生する。
【０００５】
特許文献１には、金属板から形成された弾性変形可能な固定具によってコアを放熱ケース内側の底面及び側面に押さえ付けることにより、放熱ケース内でコアを挟持する板ばねタイプの固定具が開示されている。このようにコアを放熱ケースに密着させる固定構造（メタルタッチ構造）を採用すると、良好な放熱特性を確保することができる。しかしながら、メタルタッチ構造のリアクトルは、コアが放熱ケースと直接接触するため、コアで発生した振動がほとんど減衰せずにケースに伝わり、作動時に大きな騒音が発生するという欠点がある。
【０００６】
そこで、特許文献２に開示されているように、ステーを使用してコアを放熱ケースと接触させずに支持する固定構造（フローティング構造）が提案されている。特許文献２に開示されている従来のステーは、細長い矩形の金属板をＬ字状に折り曲げたものである。コアは環状に配列した複数のコア断片（磁性体）からなる分割コアを射出成形（インサート成形）により樹脂で被覆したものであり、ステーの一端はコアをインサート成形する際に樹脂に埋め込まれてコアに固定されている。また、ステーの他端には平座金状の固定部が形成されており、この固定部を放熱ケースにボルト止めすることにより、コアは放熱ケースから浮いた状態でステーを介して放熱ケースに固定される。この固定構造は、コアを放熱ケースに直接接触させないため、コアから放熱ケースへの振動の伝達が少なく、リアクトルが発生する騒音を軽減することができる。
【先行技術文献】
【特許文献】
【０００７】
【特許文献１】特開２０１０−１２３９２７
【特許文献２】特開２００９−２６９５２
【発明の概要】
【発明が解決しようとする課題】
【０００８】
しかしながら、特許文献２に開示されるステーは、弾性変形が可能な部分の長さ（ばね長）が短いため、弾性変形による大きな変位を許容することができない。また、比較的に板幅の広い金属板をＬ字状に折り曲げた構造を有するため、実質的に折り曲げ方向の弾性変形のみを許容する。従って、ステーを弾性変形させることにより平座金状の固定部の位置を調整できる範囲は狭く、各部品に高い寸法精度が要求されるため、ステーを成形するための金型も比較的に高価なものとなる。また、インサート成形時に組み付ける部品点数が多く、また高い組み付け精度が要求されるため、インサート成形のセットアップの工程は複雑かつ慎重を要するものとなる。そのため、インサート成形のセットアップには非常に長い作業時間を要し、加工コストも高いものとなる。
【０００９】
また、特許文献１に開示されるような固定具によりコアを３方向で両側から挟み込む構成によってもフローティング構造を実現することができる。しかしながら、この固定方法により放熱ケース内に高い位置精度でコアを配置するためには、各固定具がコアに加える荷重のバランスを精密に調整する必要がある。そのため、固定具を設計する際には荷重計算を行う必要があり、また、わずかな構造変更をした場合でも荷重計算をやり直さなければならず、設計上の負担が重いという問題がある。また、固定具に高い部品精度が要求されるため、やはり固定具を作製するための金型は比較的に高価なものとなる。
【００１０】
なお、放熱ケースに対するコアの位置決め精度が低いと、コアに固定されたコイルと、端子台を介して放熱ケースに固定されたバスバーとの相対的な位置精度も低くなり、コイルとバスバーとの溶接作業が難しくなるという問題が生じる。また、特にフローティング構造においては、コアと放熱ケースとの間に充填される充填材の厚さによって放熱特性が大きく変化し、それに伴いリアクトルの性能も影響を受ける。従って、リアクトルの性能を確保するためにも、一定の位置決め精度で放熱ケースにコアを取り付ける必要がある。
【００１１】
これらの課題を同時に解決するコアの固定構造はこれまで提案されていなかった。本発明は、このような事情に鑑みてなされたものである。
【課題を解決するための手段】
【００１２】
本発明の実施形態に基づく、コイル装置のコアをケースに固定するコア固定具が提供される。本発明の実施形態に係るコア固定具は、ケースにボルトで固定されるケース固定部と、コアにボルトで固定されるコア固定部と、コア固定部とケース固定部を連結するアーム部とを備えている。
【００１３】
このような構成のコア固定具は、コアを両側から挟み込んで把持する板ばねタイプのコア固定具のように荷重バランスの設計や調整を行わずに、コアを均等に放熱させるために十分な位置精度でコアをケース内に取り付けることができる。また、比較的に大型の部品であるコア固定具をインサート成形によりコアに埋め込むのではなく、成形後のコアにボルトで固定する構成とすることにより、コア成形時のセットアップ（金型への部品の組み付け）が容易になり、生産効率が向上する。
【００１４】
アーム部は、コア固定部とケース固定部との相対位置が変化するように弾性変形可能である。
【００１５】
この構成により、コアの寸法に誤差が生じても、アーム部を弾性変形させることにより容易にケース内にコアを取り付けることができる。また、アーム部の低い固有振動数により、可聴域の高い周波数の振動のケースへの伝播が抑制されるため、コイル装置に高い周波数成分を含む電圧を入力したときに発生する騒音が低減される。
【００１６】
コア固定部及びケース固定部には、アーム部の付け根付近に、輪郭が曲線により形成された凹部が形成されていることが望ましい。
【００１７】
この構成により、アーム部の付け根付近への応力集中によるケース固定部の破損が防止される。
【００１８】
また、コア固定部及びケース固定部は、それぞれＸＹ平面と平行な平面上に配置され、コア固定部にはボルトが通る第１の貫通穴が形成され、ケース固定部にはボルトが通る第２の貫通穴が形成され、コア固定部が配置された平面上への投影図において、第１の貫通穴と第２の貫通穴が重ならないように構成されていることが望ましい。
【００１９】
このような構成にすることにより、ＸＹ平面と垂直な一方向（Ｚ軸方向）から容易にボルトでコアをケースに固定することができる。
【００２０】
典型的には、コア固定具は１枚の金属板から板金加工により形成される。また、一つの最良の形態のコア固定具は、ＸＹ平面と平行な第１の平面上に配置された１つのケース固定部と、ＸＹ平面と平行な第２の平面上に配置された２つのコア固定部である左側コア固定部及び右側コア固定部と、２つのアーム部である左側アーム部及び右側アーム部を備える。また、Ｘ軸方向の正の向きを正面側、Ｘ軸方向の負の向きを背面側、Ｙ軸方向の正の向きを左側、Ｙ軸方向の負の向きを右側としたときに、左側アーム部は、ケース固定部の背面側の辺縁の左端と左側コア固定部の背面側の辺縁の右端とを連結し、右側アーム部は、ケース固定部の背面側の辺縁の右端と右側コア固定部の背面側の辺縁の左端とを連結する。
【００２１】
また、本発明の実施形態に基づく、コアを内部に配したコイルがケース内に収容されたコイル装置が提供される。本発明の実施形態に係るコイル装置は、上記のコア固定具によりコアの両端がケースに固定されたものである。
【００２２】
典型的には、コアは、複数のコア断片が一方向にスタック（積み重ね）されて一体に固定された分割コアであり、コア固定具はコアのスタック方向（コア断片が積み重ねられた方向）両端に取り付けられる。
【００２３】
この場合において、コアは、コアのスタック方向両端に配置された、コア固定部がボルトで固定される１対のナットを備え、１対のナットの間にはコアが連続して形成されていることが望ましい。
【００２４】
このような構成においては、コア固定具からコアに加えられるスタック方向の力は、コア内を圧縮力又は引張力として伝播するため、コア内に大きなせん断力が生じることが無い。ダストコア等のせん断強度が弱いコアを使用する場合にこの構成を適用すると、コアにひび割れ等が生じることが防止される。
【００２５】
また、コア固定具がコア固定部のみでコアと接触するように構成されていることが望ましい。この構成により、コアを支持するばねとして機能するアーム部の有効長を長く取ることができ、コア固定具による高い騒音低減効果を得ることができる。
【００２６】
また、端子台を更に備えていてもよい。この場合においては、端子台のバスバーとコイルのリード部とを溶接する箇所において、バスバー及びリード部はコアの両端を結ぶ方向に延びることが望ましい。この構成により、コアの両端を結ぶ方向におけるリード部の位置に大きな誤差が生じても、スペーサを使用したり、リード部やバスバーを変形させることなく、そのままバスバーとリード部を溶接することができ、溶接の作業性や品質を高めることができる。
【発明の効果】
【００２７】
本発明の実施形態に係るコア固定具を使用することで、低騒音・低振動のフローティング構造をコンパクトかつ低コストで実現することができるという利点がある。
【図面の簡単な説明】
【００２８】
【図１】本発明の実施形態に係るリアクトルの分解図である。
【図２】本発明の実施形態に係るリアクトル本体の斜視図である。
【図３】本発明の実施形態に係るコア固定具の外観図である；（ａ）斜視図、（ｂ）平面図、（ｃ）背面図、（ｄ）側面図
【図４】本発明の実施形態に係るリアクトル本体をケース内に収容した状態を示す平面図である。
【図５】図５におけるＡ断面図である。
【図６】本発明の実施形態に係るリアクトルの完成図である。
【図７】本実施形態における端子台のバスバーとコイルのリード部の位置関係を示す拡大図である。
【図８】従来の端子台のバスバーとコイルのリード部の位置関係を示す拡大図である。
【発明を実施するための形態】
【００２９】
以下、本発明の実施形態に係るリアクトル１について、図面を参照しながら詳細に説明する。図１はリアクトル１の分解図であり、図２はケース５０に収容する前のリアクトルの本体１ａの斜視図である。なお、以下の説明において、図１における左下側から右上側に向かう方向を幅方向（Ｘ軸方向）、右下側から左上側に向かう方向を奥行方向（Ｙ軸方向）、下側から上側に向かう方向を高さ方向（Ｚ軸方向）と定義する。なお、リアクトル１を使用する際には、リアクトル１をどのような方向に向けて配置してもよい。
【００３０】
リアクトル１は、一対のＵ型コアユニット２０ａ、２つのギャップ部材３０、コイル４０、ケース５０、並びにコアユニット２０ａをそれぞれケース５０に取り付けるための２つのコア固定具１０を備えている。
【００３１】
一対のＵ型コアユニット２０ａは、ギャップ部材３０を介してそれぞれが有する２つの端面を互いに突き合わせて、リング状のコア２０を形成する。ギャップ部材３０は、例えばアルミナ等の非磁性体のセラミックスや樹脂から形成される板材である。Ｕ型コアユニット２０ａの各端面の周縁には、端面同士を位置決めして突き合わせるための係合突起２４ａ、２４ｂ及び係合凹部２４ｃ、２４ｄがそれぞれ形成されている。本実施形態のコア２０は、２つの同一のＵ型コアユニット２０ａから組み立てられているが、構成（例えば、内包するコア断片の数や後述する樹脂成形部の形状等）が異なる２つ以上のＵ型コアユニットを組み立てたものでもよく、また複数のコア断片を接着剤により接合してリング状に形成したものでもよい。
【００３２】
Ｕ型コアユニット２０ａは、磁性体のみから形成された単体の磁性部材ではなく、ギャップ部材３０を介してＸ軸方向にスタックされた複数のコア断片２０ｃ（磁性体）が樹脂（非磁性体）に埋め込まれたものであり、射出成形（インサート成形）により作られる（図５参照）。樹脂にはポリフェニレンサルファイド（ＰＰＳ）等の耐熱樹脂が使用される。また、本実施形態において使用されるコア断片２０ｃは圧粉磁心であるが、ケイ素鋼板やフェライトを使用してもよい。本実施形態のＵ型コアユニット２０ａは、平行に配置された一対のＩ型コア断片と、この一対のＩ型コア断片の隣り合う端面（ギャップ面）を連絡する１つのＵ型コア断片を、所定の板厚を有するギャップ部材３０を介して配列させて、インサート成形によりモールドしたものである。なお、Ｕ型コアユニット２０ａの両端面（ギャップ面）では、Ｉ型コア断片の一端が樹脂により被覆されずに露出している。
【００３３】
図１に示されるように、Ｕ型コアユニット２０ａの固定面２３には、コア固定具１０を取り付けるための一対のブラケット２１（左側ブラケット２１１及び右側ブラケット２１２）が形成されている。各ブラケット２１には、インサート成形によりナット２２が埋め込まれている。
【００３４】
コイル４０は、平角エナメル線から形成された２つの同一構造の巻線部を並列に配置して、巻き始め同士を連結させた構造を有している。なお、本実施形態のコイル４０は１本の平角エナメル線を加工して形成されたものであるが、二つの巻線を溶接等で連結したものでもよい。一方のＵ型コアユニット２０ａの２つの平行な直線部（Ｉ型コアが埋め込まれた部分）にコイル４０の２つの巻線部をそれぞれ通した後、１対のＵ型コアユニット２０ａの対応する各端面がギャップ部材３０を介してそれぞれ突き合わされて接着されると、リアクトル本体１ａが形成される。
【００３５】
図３はコア固定具１０の外観を示す投影図であり、（ａ）は斜視図、（ｂ）は平面図、（ｃ）は背面図、（ｄ）は右側面図である。なお、以下の説明において、図３（ｃ）背面図における上下左右によりコア固定具１０の上下左右の方向を定義し、また図３（ｃ）背面図における紙面裏側（図３（ｂ）における上側）を前方、紙面表側（図３（ｂ）における下側）を後方と定義する。
【００３６】
コア固定具１０は、リアクトル本体１ａをＸ軸方向両端においてケース５０に取り付けるための部材であり、ステンレス鋼板の板金加工により形成されている。コア固定具１０は、ケース５０にボルトで固定されるケース固定部１１、コア２０にボルトで固定される２つのコア固定部１２（左側コア固定部１２１、右側コア固定部１２２）、及びケース固定部１１と各コア固定部１２とをそれぞれ連結する２つのアーム１３（左側アーム１３１、右側アーム１３２）を備えている。
【００３７】
ケース固定部１１及びコア固定部１２は、互いに平行に配置された平面状の部分であり、それぞれ略中央にボルト止め用の貫通穴が形成されている。
【００３８】
ケース固定部１１は中央に貫通穴１１ｈを有しており、また背面側の辺縁の左右両端において左側アーム１３１及び右側アーム１３２と接続している。ケース固定部１１の背面側には、各アーム１３の付け根付近に、前方へ凹む凹部１１ａが形成されている。凹部１１ａは、輪郭が緩やかな曲線により形成されており、各アーム１３の付け根付近への応力集中を緩和して、コア固定具１０の強度を高めている。
【００３９】
左側アーム１３１及び右側アーム１３２は、ケース固定部１１の背面から下方に伸び、下端でそれぞれ左側コア固定部１２１及び右側コア固定部１２２と接続している。各アーム１３は、上下方向に長い矩形状の部分であるが、ケース固定部１１及びコア固定部１２との接続部の付近は緩やかな曲面１３ａ及び１３ｂとなっている。この曲面１３ａ及び１３ｂは、アーム１３のケース固定部１１及びコア固定部１２との接続部付近での応力集中を緩和し、コア固定具１０の強度を高めている。ケース固定部１１とコア固定部１２を連結する（すなわちケース５０とコア２０を連結する）アーム１３は、従来のステーと比べて、半分以下の幅（図３（ｂ）及び（ｃ）における左右方向の寸法）を有しており、弾性変形が可能な部分も長い。詳細には、アーム１３の幅は、ケース固定部１１の幅（図３（ｂ）における左右方向の寸法）の１／５以下であり、奥行（図３（ｂ）における上下方向の寸法）の１／３以下である。また、アーム１３の幅は、コア固定部１２の幅の１／５以下であり、奥行の１／３以下である。また、アーム１３の長さは貫通穴１１ｈ、１２ｈの内径及びボルト６０、７０の外径よりも大きく、ボルト６０、７０の外径の１．５倍以上である。そのため、アーム１３は、ケース固定部１１及びコア固定部１２よりも十分に剛性が低く（すなわちコア固定具１０において最も剛性が低い部分であり）、従来のステーよりも柔軟性が高くなっている。また、ケース固定部１１及びコア固定部１２との接続部に緩やかな曲面１３ａ及び１３ｂを設けたことも、柔軟性の向上に寄与している。この高い柔軟性により、アーム１３を弾性変形させることで、ケース固定部１１とコア固定部１２の相対位置を全ての方向に変化させることができる。また、この柔軟性は特にＸ軸方向で大きくなるように構成されている。
【００４０】
左側コア固定部１２１及び右側コア固定部１２２は、略中央に貫通穴１２１ｈ及び１２２ｈをそれぞれ有している。また、左側コア固定部１２１及び右側コア固定部１２２は、それぞれ背面側の右端及び左端において、左側アーム１３１及び右側アーム１３２の下端とそれぞれ接続している。各コア固定部１２の背面側の辺縁にも、各アーム１３の付け根付近に、前方へ凹む凹部１２１ａ及び１２２ａが形成されている。凹部１２１ａ及び１２２ａも、輪郭が緩やかな曲線により形成されており、各アーム１３の付け根付近への応力集中を緩和して、コア固定具１０の強度を高めている。
【００４１】
次に、リアクトル本体１ａの組み立て、及びコア固定具１０によりリアクトル本体１ａをケース５０内に固定する手順を説明する。図４は、リアクトル本体１ａがケース５０内に収容された状態を示す平面図である。図５は、図４におけるＡ−Ａ断面を示す断面図である。また図６は、更に充填材９０をケース内に充填して、完成した状態のリアクトル１を示す斜視図である。
【００４２】
リアクトル本体１ａの組み立てにおいては、先ず一方のＵ型コアユニット２０ａの各直線部にコイル４０の２つの巻線部を通し、ギャップ部材３０を介して一対のＵ型コアユニット２０ａの各端面を接着剤により貼り合わせる。次に、貼り合わせた一対のＵ型コアユニット２０ａを専用の治具（不図示）に装着し、Ｘ軸方向（図１）に所定の接着圧を加えながら所定の温度下で一定時間保持して、接着材を硬化させる。接着剤が硬化すると、コア２０を治具から外して、ボルト６０によりコア固定具１０をコア２０に取り付ける。具体的には、ボルト６０を、コア固定具１０の左側コア固定部１２１の貫通穴１２１ｈ及び右側コア固定部１２２の貫通穴１２２ｈにそれぞれ通した後、コア２０のブラケット２１１及び２１２に埋め込まれたナット２２にねじ込むことにより、コア固定具１０がコア２０に取り付けられる。
【００４３】
次に、コア固定具１０が取り付けられたリアクトル本体１ａをボルト７０によりケース５０に取り付ける。具体的には、ボルト７０を各コア固定具１０のケース固定部１１に設けられた貫通穴１１ｈに通した後、ケース５０内に形成された取り付け台５２に設けられた雌ねじ５２ｔにねじ込むことにより、リアクトル本体１ａがケース５０に取り付けられる。次に端子台８０がケース５０にボルトで固定され、端子台のバスバー８１及び８２とコイル４０のリード部４１及び４２がそれぞれ溶接等により接合される。最後に、絶縁性と高い熱伝導性を有するシリコーン樹脂やエポキシ樹脂等の充填材９０がケース５０内に充填されて、リアクトル１が完成する。
【００４４】
本実施形態のようにリアクトル本体１ａをケース５０と接触させないフローティング構造では、リアクトル本体１ａが発生する熱は、リアクトル本体１ａとケース５０との隙間に充填された充填材９０を介してケース５０に伝達される。充填材９０には比較的に熱伝導性の良好な樹脂が採用されているが、十分な放熱特性を確保するためには、ケース５０とリアクトル本体１ａとの隙間を狭く設定する必要がある。また、リアクトル本体１ａに大きな温度分布の不均一が発生した場合にもリアクトルの特性が劣化するため、リアクトル本体１ａを均一に放熱させる必要がある。十分に均一な放熱性能を与える為には、少なくともＸ軸方向及びＹ軸方向において、ケース５０内にリアクトル本体１ａを誤差１ｍｍ未満の精度で取り付けることが必要となる。本発明の実施形態に係るコア固定具１０を使用してケース５０にコア２０をボルト止めすることにより、特にＸ軸方向とＹ軸方向で高い取り付け精度を達成することができ、放熱特性に優れたフローティング構造が実現する。
【００４５】
また、図５に示されるように、Ｕ型コアユニット２０ａは、ギャップ部材３０を介してＸ軸方向に積み重ねられた複数のコア断片２０ｃをインサート成形により樹脂で被覆したものであるため、Ｘ軸方向の寸法精度が比較的に低い。コア２０は、このようなＵ型コアユニット２０ａを更にギャップ部材３０を介してＸ軸方向に重ね合わせ形成したものであるため、Ｘ軸方向の寸法精度は例えばＹ軸方向の寸法精度と比べて格段に低い。また、コア２０の熱膨張や振動の振幅もＸ軸方向で最も大きい。上述のように、コア固定具１０は、各固定部間の相対位置の全方向（特にＸ軸方向）への変位に対して柔軟であるため、コア２０の寸法誤差を許容しつつ、コア２０を正確に位置決めすることができる。また、コア２０を支持するコア固定具１０は、低いばね定数を有する（すなわち固有振動数が低い）ばねとして機能するため、コア２０で発生する可聴域以上の高い周波数の振動をケース５０に伝わり難くし、リアクトル１が発生する騒音を低減する。また、コア固定具１０は、従来のステーと比べて各固定部を連結する部分が長く、コア２０からケース５０まで振動が伝播する距離が長いため、振動の減衰率も大きい。
【００４６】
また、本実施形態のコア固定具１０は、コア固定部１２のみがコア２０と接触し、ケース固定部１１やアーム１３はコア２０と接触しないように構成されている。これにより、コア２０からケース５０までに振動が伝播する経路長を長く取ることができ、アーム１３による振動低減作用を高くすることができる。また、この構成により、コア２０を支持するばねとして機能するアーム１３の有効長（ばね長さ）を長く取ることができるため、アーム１３の低い固有振動数が確保され、騒音の原因となる高い周波数の振動のケース５０への伝播が効果的に抑制される。
【００４７】
また、図５は、コア２０がコア固定具１０にボルト止めされる４つのナット２２のうち、コア２０を挟んでＸ軸方向に並ぶ一組のナット２２の中心軸を通る断面図である。図５に示されるように、この一組のナット２２の中心を結ぶ線分Ｌ上には、コア断片２０ｃとスペーサ部材３０が隙間無く配置されている。そのため、各ナット２２を介してコア固定具１０からコア２０に加えられるＸ軸方向の力の大半は、そのまま圧縮力又は引張力として直線Ｌに沿ってコア２０内を伝達するため、コア２０内に強いせん断力が生じることがない。従って、せん断強度の弱いダストコア等を使用しても、コア固定具１０から受ける力によりコア２０にひび割れ等が生じることがない。また、仮にＸ軸方向に並ぶ一組のナット２２をコア２０のＹ軸方向中央に設けると、この一組のナット２２の中心を結ぶ線分上にコア２０が存在しない領域が現れることになる。このような構造は、コア固定具１０がナット２２を介してコアにＸ軸方向の力を加えたときに、コア２０に強いせん断応力を与えるため、ダストコア等のせん断強度の弱いコア材料の使用には適していない。
【００４８】
次に、図７及び図８を参照して、端子台８０のバスバー８１及び８２とコイル４０のリード部４１及び４２の配置について説明する。図７は、本実施形態における端子台８０のバスバー８１とコイル４０のリード部４１の配置関係を概略的に示した図（ＸＹ平面図）である。また、図８は、本発明の別の実施形態のバスバー８１ａとリード部４１ａの配置関係を示した図（ＺＸ平面図）である。従来の板ばねタイプのコア固定具には、ばね定数に一定のばらつきが存在する。そのため、例えば従来の板ばねタイプのコア固定具によりＸ軸方向両側からコアを挟持する構成においては、各コア固定具がコアに与える荷重の不均衡のため、コア（及びコアに固定されたコイル）のＸ軸方向の位置が本来の設計位置から離れる。従って、図８に示されるように、バスバー８１ａとリード部４１ａとを溶接する先端部分がＸ軸方向と垂直な方向（図８の例ではＺ軸方向）に折り曲げられた構造を採用した場合、例えばコアの位置が設計位置よりもＸ軸方向正の向きに離れると、リード部４１ａが破線で示された位置に配置される。この場合、リード部４１ａはバスバー８１ａと接触できないため、両者を溶接することができない。従って、従来の板ばねタイプのコア固定具を使用する場合には、図７に示されるような、バスバー８１とリード部４１とを溶接する先端部分がＸ軸方向に延長する構成を採用せざるを得なかった。一方、本発明の実施形態に係るコア固定具１０を使用してコア２０をケース５０に取り付ける場合には、コア固定具１０はコア２０にＸ軸方向の力を加えないため、各コア固定具１０のばね定数が異なっていても、コアの位置が設計位置から大きく離れることは無い。そのため、コア固定具１０を使用すると、図８に示されるような、リード部４１ａとバスバー８１ａとの溶接部をＸ軸方向と垂直な方向に延長させた構成を採用することもでき、高い設計の自由度が得られる。
【００４９】
また、本実施形態のコア固定具１０は、図３に示されるように、ケース固定部１１と一対のコア固定部１２及びアーム１３のみから構成されるというシンプルな構造を有し、所定の形状に打ち抜いた金属板を４箇所で一定方向に９０度折り曲げるという簡単な工程により作製されるため、低コストで作製することができる。また、１つのコア固定具１０につき３箇所、計６箇所をボルト止めするだけでコアを比較的に高い位置精度でケース５０内に取り付けることができるため、リアクトル１の組み立てに要する加工コストも低減することができる。また、通常は荷重を加えない状態でコア固定具１０を取り付けるため、  設計時に厳密な荷重バランスを計算する必要が無く、設計に過大な労力や時間を要することもない。また、荷重バランスを確保するためにコア固定具１０の寸法精度を厳しくする必要も無いため、コア固定具１０も低コストで製造することができる。
【００５０】
以上が本発明の例示的な実施形態の説明である。本発明の実施の形態は、上記に説明したものに限定されず、特許請求の範囲の記載により表現された技術的思想の範囲内で任意に変更することができる。
【００５１】
例えば、上記の実施形態におけるコア固定具１０は、コア固定部（１２１、１２２）を２つ、ケース固定部（１１）を１つ、アーム（１３１、１３２）を２つ有しているが、各部の数はこれに限定されず、それぞれ１以上の任意の数とすることができる。例えば、別の実施形態においては、コア固定具１０が１つのコア固定部と２つのケース固定部を有していてもよい。また、ケース固定部１１及び／又はコア固定部１２が複数の貫通穴１１ｈ及び／又は１２ｈを有していてもよい。但し、ダストコア等のせん断強度の低い材質をコアに使用する場合には、コア２０を挟んで対向する各コア固定具１０の対応するコア固定部１２（詳細には貫通穴１２ｈ）は、これらの中心を結ぶ直線Ｌ上にコア断片２０ｃとスペーサ部材３０が隙間無く配置されるような位置に設けることが望ましい。
【００５２】
また、コア固定具１０の各部の配置関係も上記の実施形態の構成に限定されない。例えば、上記の実施形態ではコア固定部１２がケース固定部１１よりも低い位置に配置されているが、コア固定部をケース固定部１１よりも高い位置に配置してもよい。また、上記の実施形態では、Ｙ軸方向内側にケース固定部１１が配置され、そのＹ軸方向外側にコア固定部１２が配置されているが、例えば、Ｙ軸方向内側にコア固定部を配置し、そのＹ軸方向外側にケース固定部を配置してもよい。また、上記の実施形態では、ケース固定部及びコア固定部にボルト止め用の貫通穴が形成されているが、貫通穴は丸穴でも長穴でもよく、また貫通穴の縁の一部を開いてＵ字状の溝を形成した先開形としてもよい。
【００５３】
また、上記の実施形態では、アーム１３がケース固定部１１及びコア固定部１２の背面側（コア側）を連結するが、アーム１３がケース固定部１１及びコア固定部１２の正面側を連結する構成にしてもよく、またケース固定部１１及びコア固定部１２の一方の正面側と他方の背面側とを連結する構成にしてもよい。また、アーム１３は、ケース固定部１１とコア固定部１２の背面側又は正面側の辺縁を連結するのではなく、各部の左右の辺縁を連結する構成としてもよい。例えば、左側アーム１３１がケース固定部１１の左側の辺縁と左側コア固定部１２１の右側の辺縁とを連結し、右側アーム１３２がケース固定部１１の右側の辺縁と右側コア固定部１２２の左側の辺縁とを連結してもよい。
【００５４】
また、上記の実施形態では、組み立て後にコイル４０のリード部４１及び４２がＸ軸方向に延長するように形成されているが、リード部の延長方向は任意の方向に設定することができる。また、上記実施形態にはリングコアが使用されているが、例えばＩ型コアやＥ型コアなど別の形状のコアを使用してもよい。また、上記に説明した実施形態及び変形例は、本発明をリアクトルに適用した例であるが、例えばトランス等の別の種類のコイル装置にも本発明を適用することができる。
【符号の説明】
【００５５】
１      リアクトル
１０    コア固定具
１１    ケース固定部
１１ａ  凹部
１１ｈ  貫通穴
１２    コア固定部
１２１  左側コア固定部
１２２  右側コア固定部
１２１ｈ、１２２ｈ  貫通穴
１２１ａ、１２２ａ  凹部
１３    アーム
１３１  左側アーム
１３２  右側アーム
１３ａ、１３ｂ  曲面
２０    コア
２０ａ  Ｕ型コアユニット
２０ｃ  コア断片
２１    ブラケット
２１１  左側ブラケット
２１２  右側ブラケット
２２    ナット
２３    固定面
２４ａ、２４ｂ  係合突起
２４ｃ、２４ｄ  係合凹部
３０    ギャップ部材
４０    コイル
４１、４２  リード部
５０    ケース
６０、７０  ボルト
８０    端子台
８１，８２    バスバー
９０    充填材
【図１】
0005778401.tif 000002
【図２】
0005778401.tif 000003
【図３】
0005778401.tif 000004
【図４】
0005778401.tif 000005
【図５】
0005778401.tif 000006
【図６】
0005778401.tif 000007
【図７】
0005778401.tif 000008
【図８】
0005778401.tif 000009